(57)【要約】      （修正有）【課題】簡単に移設することができる写真シール作成装置を提供する。【解決手段】写真シール作成装置１は、利用者が被写体として撮影される撮影空間の前方とされる側の前方ユニット１２Ａと、撮影空間の後方とされる側の後方ユニット１２Ｂと、撮影空間の上方とされる側の天井ストロボユニット１４および背景カーテンユニット１５とを備える。後方ユニット１２Ｂは、平面パネル状に構成され、後方ユニット１２Ｂの上端部は、天井ストロボユニット１４および背景カーテンユニット１５に固定され、後方ユニット１２Ｂの下端部と写真シール作成装置１の設置面との間には間隙が形成される。【選択図】図１
0003160845.tif 000002
【実用新案登録請求の範囲】
【請求項１】
利用者を被写体として撮影し、得られた画像に対して利用者に落書き編集入力を行わせ、前記画像を所定のシールシートに印刷して写真シールを作成し、成果物として前記写真シールを前記利用者に提供する写真シール作成装置であって、
前記利用者が被写体として撮影される撮影空間の前方とされる側の第１のユニットと、
前記撮影空間の後方とされる側の第２のユニットと、
前記撮影空間の上方とされる側の第３のユニットと
を備え、
前記第２のユニットは、平面パネル状に構成され、前記第２のユニットの上端部は、前記第３のユニットに固定され、前記第２のユニットの下端部と前記写真シール作成装置の設置面との間には間隙が形成される
写真シール作成装置。
【請求項２】
前記第３のユニットは、前記第１のユニットの上部に固定されており、
前記第１のユニットの底面には、前記第１のユニットが前記設置面を移動可能にさせるキャスタが設けられる
請求項１に記載の写真シール作成装置。
【請求項３】
前記第２のユニットの下端部を支持する支持部材をさらに備える
請求項１に記載の写真シール作成装置。
【請求項４】
前記支持部材は、前記第１のユニットと、前記第２のユニットの下端部とを、前記設置面に当接しながら連結するとともに、前記第２のユニットの下端部を支持する
請求項３に記載の写真シール作成装置。
【請求項５】
前記連結支持部材は、略コの字型に構成され、前記連結支持部材の両端の辺部は、それぞれ前記第１のユニットの下端部および前記第２のユニットの下端部に固定され、前記連結支持部材の中央の辺部は、前記設置面に当接する
請求項４に記載の写真シール作成装置。
【請求項６】
前記連結支持部材の両端の辺部は、それぞれ前記第１のユニットの下端部および前記第２のユニットの下端部にネジ止めされ、
前記連結支持部材の両端の辺部に設けられる、ネジを通す穴は、前記設置面に対して垂直方向に長い長穴である
請求項５に記載の写真シール作成装置。
【考案の詳細な説明】
【技術分野】
【０００１】
本発明は、写真シール作成装置に関し、特に、より簡単に移設することができるようにする写真シール作成装置に関する。
【背景技術】
【０００２】
従来、利用者（被写体）を撮影し、得られた撮影画像に予め用意されている画像を合成したり、文字や線画を重畳させたりする落書き編集処理を行い、シール紙に印刷し、写真シールとして利用者に提供する写真シール機が存在する。
【０００３】
この写真シール機は、例えば、ゲームセンタ等の娯楽（遊戯）施設に設置され、主に女子高校生や女子中学生等を中心とする利用者に有料でサービスを提供する。利用者は、写真シールの作成作業をゲームとして楽しむだけでなく、出力される様々なサイズの編集済み画像が印刷されている写真シールを仲間同士で切り分け合って、それぞれの所持品に貼り付けたりしている。
【０００４】
このような写真シール機において、利用者を撮影する撮影空間の前方には、利用者を撮影するカメラや撮影時に発光する照明装置を備えた撮影筐体が設けられ、撮影空間の後方には、クロマキ合成に適した色で統一された背景筐体が設けられている。また、撮影空間の上方には、撮影時に発光する照明装置を備えた天井筐体が設けられている（例えば、特許文献１参照）。
【０００５】
また、近年では、利用者が撮影時の背景を選択し、好みの背景で撮影することができるようにするために、天井筐体に、利用者に選択された背景を提供する背景カーテンを備える背景カーテンユニットを設けるようにした写真シール機がある（例えば、特許文献２参照）。
【先行技術文献】
【特許文献】
【０００６】
【特許文献１】特開２００４−１６３９４８号公報
【特許文献２】特許第４３８８４８０号公報
【考案の概要】
【考案が解決しようとする課題】
【０００７】
ところで、上述したような写真シール機が設置されるゲームセンタ等の娯楽施設において、例えば、新機種のゲーム機が新たに搬入される等の際には、既に設置されているゲーム機を、施設内の他の場所等へ移設する必要がある。
【０００８】
写真シール機を移設する場合には、移設を行う者は、撮影空間を構成する撮影筐体、背景筐体、および天井筐体を一旦分離して移設し、移設後、再度組み立てることを行っていたため、時間がかかる上に面倒であった。
【０００９】
本考案は、このような状況に鑑みてなされたものであり、写真シール機をより簡単に移設することができるようにするものである。
【課題を解決するための手段】
【００１０】
本考案の一側面の写真シール作成装置は、利用者を被写体として撮影し、得られた画像に対して利用者に落書き編集入力を行わせ、前記画像を所定のシールシートに印刷して写真シールを作成し、成果物として前記写真シールを前記利用者に提供する写真シール作成装置であって、前記利用者が被写体として撮影される撮影空間の前方とされる側の第１のユニットと、前記撮影空間の後方とされる側の第２のユニットと、前記撮影空間の上方とされる側の第３のユニットとを備え、前記第２のユニットは、平面パネル状に構成され、前記第２のユニットの上端部は、前記第３のユニットに固定され、前記第２のユニットの下端部と前記写真シール作成装置の設置面との間には間隙が形成される。
【００１１】
この写真シール作成装置の、第１のユニットは、例えば、前方ユニットにより構成され、第２のユニットは、例えば、後方ユニットにより構成され、第３のユニットは、例えば、天井ストロボユニットおよび背景カーテンユニットにより構成される。
【００１２】
写真シール作成装置では、前記第２のユニットは、平面パネル状に構成され、前記第２のユニットの上端部は、前記第３のユニットに固定され、前記第２のユニットの下端部と前記写真シール作成装置の設置面との間には間隙が形成されるようにできる。
【００１３】
これにより、前方ユニット、後方ユニット、天井ストロボユニット、および背景カーテンユニットを、それぞれ分離することなく、写真シール作成装置１をより簡単に移設することができる。
【００１４】
前記第３のユニットは、前記第１のユニットの上部に固定させ、前記第１のユニットの底面には、前記第１のユニットが前記設置面を移動可能にさせるキャスタが設けることができる。
【００１５】
これにより、前方ユニット、後方ユニット、天井ストロボユニット、および背景カーテンユニットにより構成される撮影ユニットは、店舗等の床面を移動可能となり、撮影ユニットをより簡単に移設することができる。
【００１６】
前記写真シール作成装置には、前記第２のユニットの下端部を支持する支持部材をさらに設けることができる。
【００１７】
この写真シール作成装置の、支持部材は、例えば、連結支持部１２Ｄにより構成される。
【００１８】
これにより、後方ユニットの下端部を、安定して支持することができる。
【００１９】
前記支持部材には、前記第１のユニットと、前記第２のユニットの下端部とを、前記設置面に当接しながら連結させるとともに、前記第２のユニットの下端部を支持させるようにすることができる。
【００２０】
これにより、後方ユニットの下端部を、より安定して支持することができる。
【００２１】
前記連結支持部材は、略コの字型に構成され、前記連結支持部材の両端の辺部は、それぞれ前記第１のユニットの下端部および前記第２のユニットの下端部に固定され、前記連結支持部材の中央の辺部は、前記設置面に当接するようにできる。
【００２２】
これにより、後方ユニットの下端部を、より安定して支持することができる。
【００２３】
前記連結支持部材の両端の辺部は、それぞれ前記第１のユニットの下端部および前記第２のユニットの下端部にネジ止めされ、前記連結支持部材の両端の辺部に設けられる、ネジを通す穴は、前記設置面に対して垂直方向に長い長穴であるようにすることができる。
【００２４】
これにより、写真シール機の設置場所に段差があるような場合であっても、連結支持部の高さ方向の位置を調節することで、傾きなく前方ユニットと後方ユニットとを連結するとともに、確実に後方ユニットを支持することができ、写真シール機をより安定して設置することができる。
【考案の効果】
【００２５】
本考案によれば、写真シール機をより簡単に移設することが可能となる。
【図面の簡単な説明】
【００２６】
【図１】本考案を適用した写真シール作成装置の一実施の形態の例を示す斜視図である。
【図２】図１の写真シール作成装置の他の角度からの斜視図である。
【図３】図１の写真シール作成装置の設置例を示す斜視図である。
【図４】利用者の空間移動を説明する図である。
【図５】前方ユニットの正面の構成例を示す図である。
【図６】編集ユニットの側面の構成例を示す図である。
【図７】編集ユニットの他の側面の構成例を示す図である。
【図８】写真シール作成装置の側面図である。
【図９】前方ユニットと連結支持部との固定部分の拡大図である。
【図１０】後方ユニットと連結支持部との固定部分の拡大図である。
【考案を実施するための形態】
【００２７】
図１は、本考案を適用した写真シール作成装置の一実施の形態の例を示す図である。
【００２８】
図１の写真シール作成装置１は、撮影や編集等の作業の娯楽性を高め、それらの作業を利用者にゲーム（遊戯サービス）として行わせ、撮影画像や編集済み画像を写真シールやデータとして利用者に提供する代わりに、利用者より代金を受け取るゲーム装置（遊戯サービス提供装置）である。
【００２９】
この写真シール作成装置１が実行する写真シール作成ゲームにおいて、利用者は、ゲームの代金を投入し、写真シール作成装置１に設けられたカメラを用いて自分自身等を撮影し、その撮影画像に対して背景画像を合成したり、ペン入力やスタンプ入力等の編集機能により合成用画像を加える等の編集（落書き編集）を行い、撮影画像を彩り豊かなものにデザインする。そしてゲーム終了後、利用者は、編集済み画像が印刷された写真シール等を成果物として受け取る。
【００３０】
このような写真シール作成装置１は、通常、ゲームセンタや観光地の店舗等に設置される。つまり、写真シール作成装置１は、例えば、メーカや販売会社などから、それらの店舗の経営者に販売される。写真シール作成装置１を購入した経営者は、店舗（例えばゲームセンタ）にその写真シール作成装置１を設置して管理・運営し、女子高校生や女子中学生に代表される一般の利用者に写真シール作成ゲームを有料でプレイさせ、その代金により収益を上げる。
【００３１】
従って、店舗の経営者にとって、写真シール作成装置１の収益率の高さが重要となる。つまり、写真シール作成装置１は、単位時間当たりの収益率が高い方が望ましい。また、通常の店舗の場合、床面積や構造等の制限により、写真シール作成装置１の設置場所が限定される。従って、写真シール作成装置１は、単位床面積当たりの収益率が高い方が望ましい。さらに、各店舗の広さや形状は通常同じでなく、かつ、写真シール作成装置１とともに設置される他のゲーム機等も異なるため、設置場所の自由度が高いほど望ましい。
【００３２】
収益率を向上させる方法として、例えば、写真シール作成ゲームの回転率を向上させる方法がある。つまり、所定の時間内にプレイされるゲーム数を増加させることにより単位時間当たりの収益率を増加させる方法である。しかしながら、写真シール作成ゲームをプレイする利用者がいなければ収益率は向上しない。したがって、写真シール作成装置１の写真シール作成ゲームに対する、利用者の期待度や満足度を向上させることも重要となる。
【００３３】
例えば、写真シール作成装置１は、ゲームをプレイしたことのない利用者が「プレイしてみたい」と思うような期待度の高い機能を設けることにより利用者数を増加させることができる。また、一度プレイした利用者が「楽しかった、もう一度プレイしたい」と思うような満足度の高い機能を設けることにより、写真シール作成装置１は、いわゆるリピータを増加させ、利用者数をさらに増加させることができる。その結果、写真シール作成装置１の収益が向上する。
【００３４】
利用者にとって、写真シール作成装置１には、大きく分けて、写真シール作成ゲームをプレイすること（写真シールの作成作業）と、成果物として写真シール用画像や写真シールを得ること（完成した写真シールそのもの）の２つの娯楽性がある。
【００３５】
前者の、写真シール作成作業の娯楽性を向上させる方法としては、例えば、撮影機能や、落書き編集等の編集機能の多機能化、操作性の向上、またはプレイ時間や待ち時間の調整等がある。後者の、完成した写真シールそのものの娯楽性を向上させる方法としては、例えば、シール紙の品質向上、高画質印刷、および特殊色印刷等のようなハードウェアの向上や、写真シールの画像に対する利用者の満足度を向上させることなどがある。
【００３６】
また、主な利用者層である女子高校生や女子中学生は、得られた写真シールを所有物に貼り付けるだけでなく、その写真シールを交換したり、その写真シールを話題にして会話を行ったりする。従って、例えば、写真シールの画像内容が、派手だったり、面白かったり、希少性が高かったり、目新しさがあったりする場合、その写真シールを利用者自身が気に入ることもあるが、それだけでなく、その写真シールを話題として会話が盛り上がることも考えられる。
【００３７】
また、このような写真シールの利用により、写真シール自体が写真シール作成装置１の広告としての役割も果たすこともある。従って、写真シールの娯楽性を向上させることは、単にその利用者の満足度を向上させるだけでなく、他者の期待度を向上させ、評判の広がりによる集客、すなわち、いわゆる口コミによる新規利用者を増やすことも期待することができる。
【００３８】
つまり、写真シール作成ゲームにおいて、利用者らが気に入るような画像を作成することができる機能を提供することにより、利用者の写真シール作成ゲームに対する満足度だけでなく、写真シールに対する満足度も向上させることができ、さらに、写真シールの話題性や広告効果等も同時に向上させることができる。
【００３９】
写真シール作成装置１は、このような特徴を有するが、その筐体１０は、図１に示すように、連結部１１、撮影ユニット１２、編集ユニット１３、天井ストロボユニット１４、および背景カーテンユニット１５に大きく分けられる。
【００４０】
連結部１１は、撮影ユニット１２と編集ユニット１３とを連結するコの字型の部材で構成され、コの字型の両端の辺部は撮影ユニット１２の上部に固定されており、コの字型の中央の辺部は、支持部１１Ａを介して、編集ユニット１３の上部で支持されている。連結部１１には、編集ユニット１３を囲むように、後述する側面カーテン２１（図３）が吊設される。
【００４１】
撮影ユニット１２は、利用者等を被写体として撮影する機能を有しており、後述する内部の撮影空間において被写体の撮影が行われる。この撮影ユニット１２は、大きく、前方ユニット１２Ａと後方ユニット１２Ｂの２つに分けられる。
【００４２】
前方ユニット１２Ａは、撮影空間の前方とされる側のユニットであり、撮影空間の利用者の撮影に関する処理を行ったり、利用者の写真シール作成ゲームに関する操作を受け付けたりする。後方ユニット１２Ｂは、撮影空間の後方とされる側のユニットであり、前方ユニット１２Ａによる利用者の撮影の際に、背景の役割を果たすユニットである。
【００４３】
この後方ユニット１２Ｂは、平面パネル状に構成され、前方ユニット１２Ａとともに撮影空間を確保し、撮影空間外からの視界を遮断して、利用者が外部からの視線を意識せずに撮影の作業を行うことができるようにする。また、後方ユニット１２Ｂは、撮影空間外からの風を防ぐことができる程度の、できる限り薄い平面パネルとして構成されている。これにより、後述で説明する背景カーテンユニット１５により撮影空間内に吊設されるクロマキ用のカーテン（背景カーテン）が、撮影空間外からの風の影響で舞うのを防止することができるので、撮影時にクロマキ処理をより正確に行うことができるようになる。
【００４４】
後方ユニット１２Ｂの上端部は、固定部１２Ｃを介して、天井ストロボユニット１４および背景カーテンユニット１５に固定され、その下端部と写真シール作成装置１が設置されている設置面との間には間隙が形成されるようになされている。固定部１２Ｃは、例えば金属製の、直角三角形状の部材で構成され、直角を挟む２辺それぞれに設けられた固定しろで、後方ユニット１２Ｂと、天井ストロボユニット１４および背景カーテンユニット１５とにネジ止めされている。なお、固定部１２Ｃは、写真シール作成装置１の図１に図示されない側にも同様にして設けられている。また、固定部１２Ｃは、直角三角形状の形状に限らず、他の形状であってもよい。
【００４５】
後方ユニット１２Ｂの下端部と、写真シール作成装置１の設置面との間の間隙は約10cmとされ、後方ユニット１２Ｂの下端部は、連結支持部１２Ｄによって支持されている。連結支持部１２Ｄは、例えば金属製の、略コの字型の部材で構成され、その両端の辺部は、それぞれ前方ユニット１２Ａの下端部と、後方ユニット１２Ｂの下端部とに固定され、その中央の辺部は、写真シール作成装置１が設置されている設置面に当接するようになされている。これにより、写真シール作成装置１が設置されている設置面との間に間隙が形成される後方ユニット１２Ｂの下端部を、安定して支持することができるようになる。なお、連結支持部１２Ｄの両端の辺部は、前方ユニット１２Ａの下端部と、後方ユニット１２Ｂの下端部とに、ネジ止めされて固定されており、必要に応じて取り外しすることができる。また、連結支持部１２Ｄは、写真シール作成装置１の図１に図示されない側にも同様にして設けられている。
【００４６】
また、連結支持部１２Ｄの中央の辺部は、写真シール作成装置１が設置されている設置面に当接するようになされているが、利用者が撮影空間を出入りする際にこの部分につまずく恐れがあるので、通常はカーペット等で覆われている。
【００４７】
なお、前方ユニット１２Ａの構成の詳細については、図５を参照して説明するが、前方ユニット１２Ａの側面には、外付けモニタ１６およびスピーカ１７が設けられている。外付けモニタ１６およびスピーカ１７の詳細は後述する。
【００４８】
編集ユニット１３は、利用者が撮影画像に対する落書き編集等を行うための構成（例えば、モニタ、タッチパネル、およびタッチペン等）が設けられている。後述するように１つの筐体からなる編集ユニット１３は、２組の利用者が同時に編集作業を行うことができるように、２つの面のそれぞれに、落書き編集等を行うための構成が設けられている。後述するように、写真シール作成装置１は、複数の写真シール作成ゲームを並列的に実行することができる。換言すれば、複数組の利用者が、同時に写真シール作成装置１において写真シール作成ゲームをプレイすることができる。編集ユニット１３は、写真シール作成ゲームのプレイの回転率を向上させるために、それらの複数組の利用者が同時に落書き編集を行うことができるように、２つの落書き編集等を行うための構成が設けられている。
【００４９】
撮影空間の上方に設けられる天井ストロボユニット１４は、背景カーテンユニット１５とともに撮影空間の天井を構成するユニットであり、撮影空間の前方および後方を除く側面上方の側板１４Ａにより、前方ユニット１２Ａの上部に固定されている。この天井ストロボユニット１４は、撮影タイミングに合わせて撮影空間内に向けてストロボ発光するフラッシュを内蔵する。この天井ストロボユニット１４には、さらに内部に蛍光灯が配置されており、撮影空間（撮影空間内の利用者）を常時照らす照明としても機能する。撮影空間は、後述するように簡易的に閉鎖的な空間として構成される。したがって、外部より光が進入しづらく、暗くなりがちで利用者の操作性が低下する恐れがある。そこで、天井ストロボユニット１４が、その照明により撮影空間を明るく照らすことにより、そのような恐れを回避し、操作性を向上させることができる。なお、このような照明は前方ユニット１２Ａにも設けられている。
【００５０】
また、後方ユニット１２Ｂの上部には、例えば、背景に利用する可動式のカーテン（背景カーテン）を備える背景カーテンユニット１５が設けられている。この背景カーテンユニット１５には、例えば、互いに色または柄の異なる巻き取り式のカーテンが複数吊設される。カーテンとしては、例えば、明るい色の単色、外国の絵本のようなお洒落でかわいい柄、彩り豊かなポップで（大衆向けの）お洒落な柄等、主な利用者である女性の若者に人気の高い色や柄が複数揃えられる。
【００５１】
背景カーテンユニット１５は、前方ユニット１２Ａに設けられたカメラやストロボ等の撮影機能と連動して動作し、撮影の際に、例えば利用者に選択された色のカーテンを下ろし、その他のカーテンを巻き取る。このように動作することにより、背景カーテンユニット１５は、容易に利用者の所望のデザインや、撮影モード等に応じたデザインの背景を提供することができる。これにより、写真シール作成装置１は、画像（写真シール）に対する利用者の満足度を向上させることができる。
【００５２】
なお、背景カーテンユニット１５が備えるカーテン（背景カーテン）の枚数は任意である。例えば、背景カーテンユニット１５に１枚の背景カーテンのみが吊設されるようにしてもよい。また、この場合、写真シール作成装置１が、合成用の背景画像を複数種類用意し、その中から利用者により選択された背景画像を撮影画像に合成するようにしてもよい。このようにすることにより、写真シール作成装置１に設けられる物理的な背景カーテンが１枚のみであっても、写真シール作成装置１は、利用者の多様な好みに対応することができる。
【００５３】
また、撮影空間の天井を構成する天井ストロボユニット１４および背景カーテンユニット１５を１つの天井ユニットとして見た場合、この天井ユニットは、側板１４Ａにより、前方ユニット１２Ａの上部に固定されていると見ることができる。そして、後方ユニット１２Ｂは、固定部１２Ｃを介して天井ユニット（天井ストロボユニット１４および背景カーテンユニット１５）に固定されているので、撮影ユニット１２において、前方ユニット１２Ａ、後方ユニット１２Ｂ、および天井ユニットは、一体と見なすことができる。
【００５４】
外付けモニタ１６は、撮影ユニット１２内の撮影空間で利用者の撮影が行われている場合には、次に撮影空間を利用しようと待機している利用者に対して、撮影中の利用者のゲームの進行状況を示す映像を出力（表示）したり、写真シール作成ゲームの流れや遊び方等を案内（説明）するコンテンツ（デモンストレーション）を出力する。また、スピーカ１７は、外付けモニタ１６によって出力される映像やコンテンツに合わせた音声を出力する。
【００５５】
なお、外付けモニタ１６およびスピーカ１７は、前方ユニット１２Ａの左右の側面のいずれか一方に設けられるようになされている。すなわち、図１において図示されない前方ユニット１２Ａの側面は、図１において外付けモニタ１６およびスピーカ１７が設けられている前方ユニット１２Ａの側面に外付けモニタ１６およびスピーカ１７が設けられない場合に、外付けモニタ１６およびスピーカ１７が設置可能な構造となっている。
【００５６】
図２は、図１の写真シール作成装置１を、編集ユニット１３側より見た斜視図である。
【００５７】
編集ユニット１３は、図２に示すように、前方ユニット１２Ａの、後方ユニット１２Ｂ側の面（つまり、撮影空間側の面）と反対の面に隣接して設置される。編集ユニット１３の、前方ユニット１２Ａに直交する２つの側面には、利用者が撮影画像に対する落書き編集等を行うための第１編集インタフェース１３Ａと第２編集インタフェース１３Ｂがそれぞれ設けられている。つまり、編集ユニット１３には、写真シール作成ゲームを行う複数組の利用者が、前方ユニット１２Ａと後方ユニット１２Ｂを結ぶ方向と直交する向きに、編集ユニット１３を挟んで対向する状態で編集作業を行うことができるように、２つの編集インタフェースが設けられている。
【００５８】
また、編集ユニット１３の、撮影ユニット１２と対向する面には、写真シール作成ゲームがプレイされることにより作成された写真シールが排出されて利用者に提供される写真シール排出部１３Ｃが設けられている。
【００５９】
図３は、写真シール作成装置１の設置例を示す外観図である。
【００６０】
写真シール作成装置１がゲームセンタ等に設置される場合、例えば図３に示されるように、撮影ユニット１２の左右の側面を覆ったり、編集ユニット１３を囲むようにして、側面カーテン２１が設けられる。この側面カーテン２１は、撮影作業が行われる撮影空間や編集作業が行われる編集空間等を簡易的に囲み、各空間の閉鎖性を向上させている。つまり、側面カーテン２１は、例えば、各空間内の環境を安定させることにより、高画質な撮影や編集画面の見易さ等に寄与したり、各空間外からの視界を遮断し、利用者が外部からの視線を意識せずに撮影や編集等の作業を行うことができるようにしたりする。
【００６１】
この側面カーテン２１の外側の面は、通常、広告を掲載する場所として利用され、設置場所において注目度が高まるように、写真シール作成装置１の機種名や機種のイメージを表す派手なデザイン画が印刷される。
【００６２】
以上のような写真シール作成装置１は、利用者の各組に対して、それぞれ、写真シール作成ゲームをプレイさせる。写真シール作成装置１は、複数の写真シール作成ゲームを同時に進行させることができる。つまり、写真シール作成装置１は、同時に複数の組に写真シール作成ゲームをプレイさせることができる。このとき、各組の利用者は、写真シール作成装置１に設けられた複数の空間を移動しながら、写真シール作成ゲームの各作業を行い、ゲームを進行させる。
【００６３】
次に、写真シール作成ゲームの流れと、それに伴う空間の移動について、図４を参照して説明する。
【００６４】
図４は、利用者のゲーム中に、写真シール作成装置１を上から見た平面図である。図４に示すように、利用者は、外部（利用者Ａまたは利用者Ａ'）から、前方ユニット１２Ａと後方ユニット１２Ｂの間を通って、図中点線で示される、前方ユニット１２Ａと後方ユニット１２Ｂとの間に形成される、撮影作業を行う撮影空間３２に入場し、代金を投入することで写真シール作成ゲームを開始する（利用者Ｂ）。もし、前の組の利用者が撮影空間３２を使用中であれば（撮影作業中であれば）、利用者は、ユニット外部において待機する（利用者Ａまたは利用者Ａ'）。なお、図４において、利用者（利用者Ａ）は、外付けモニタ１６およびスピーカ１７によって出力される、撮影中の利用者のゲームの進行状況を示す映像や写真シール作成ゲームの流れや遊び方等を案内するコンテンツを視聴しながら待機することができる。
【００６５】
代金が投入され、写真シール作成ゲームが開始されると、利用者（利用者Ｂ）は、前方ユニット１２Ａの正面に設けられたカメラやモニタを利用して自分自身等を撮影させる撮影作業を行う。
【００６６】
撮影作業が終了すると利用者は、得られた撮影画像の中から編集対象画像として保存するものを選択し、表示された移動案内にしたがって、撮影作業を行った撮影空間３２から、図中点線で示す、編集作業を行う編集空間へと移動する。
【００６７】
編集ユニット１３の、前方ユニット１２Ａから見て左側（第１編集インタフェース１３Ａの前方）に第１編集空間３３Ａが設けられ、右側（第２編集インタフェース１３Ｂの前方）に第２編集空間３３Ｂが設けられている。つまり、この写真シール作成装置１においては、第１編集空間３３Ａの利用者（利用者Ｃ）および第２編集空間３３Ｂの利用者（利用者Ｃ'）の、合計２組の利用者が同時に編集作業を行うことができる。撮影空間３２の利用者（利用者Ｂ）は、この２つの編集空間のうち、空いている方に案内される。第１編集空間３３Ａまたは第２編集空間３３Ｂに移動すると、利用者は、落書き編集作業を行う。以下において、第１編集空間３３Ａと第２編集空間３３Ｂとを区別する必要の無い場合、編集空間３３と称する。
【００６８】
その後、落書き編集が終了すると、利用者（利用者Ｃまたは利用者Ｃ'）は、次に、印刷設定作業を行い、分割数等の設定を行う。そして印刷が開始されると、利用者は、その印刷中に携帯端末への画像の送信、アンケート入力、ミニゲーム等を行う。そして、印刷が終了すると、写真シール排出部１３Ｃ前方の印刷物受取領域３４に移動し（利用者Ｄ）、排出された写真シール紙を受け取り、写真シール作成ゲームを終了する。
【００６９】
なお、以上のような写真シール作成ゲームにおいて、撮影空間３２の利用者Ｂが、編集空間３３に移動すると、撮影空間３２が未使用になるので、写真シール作成装置１は、新たな組の利用者に撮影空間３２を使用させることができる。さらに、第１編集空間３３Ａの利用者Ｃ、または、第２編集空間３３Ｂの利用者Ｃ'が、印刷物受取領域３４に移動すると、その第１編集空間３３Ａまたは第２編集空間３３Ｂが未使用になるので、写真シール作成装置１は、新たな組の利用者（利用者Ｂ）に、その第１編集空間３３Ａまたは第２編集空間３３Ｂを使用させることができる。なお、第１編集空間３３Ａおよび第２編集空間３３Ｂがいずれも未使用である場合には、写真シール作成装置１は、利用者（利用者Ｂ）に対して、第１編集空間３３Ａおよび第２編集空間３３Ｂのいずれか一方を使用させるように案内するとともに、利用者が案内された編集空間でない方に移動した場合には、案内された編集空間に利用者を誘導させることができる。
【００７０】
つまり、写真シール作成装置１は、写真シール作成ゲームの、単位時間辺りおよび単位床面積辺りの回転率を向上させるために、撮影空間３２、第１編集空間３３Ａ、第２編集空間３３Ｂ、および印刷物受取領域３４を用いて、同時に、複数組の利用者に、写真シール作成ゲームをプレイさせることができる（多重接客を行うことができる）。
【００７１】
なお、このような筐体１０の構成は任意であり、上述した以外の構成であってもよい。同様に、多重接客の仕方も任意である。
【００７２】
次に、各ユニットの構成について説明する。
【００７３】
図５は、前方ユニット１２Ａの構成例を示す図である。図５の正面１２Ａ−１は、撮影空間３２内に面する側面であり、撮影作業を行う利用者にとって前方に位置する面である。つまり、利用者は、撮影空間３２において、基本的にこの正面１２Ａ−１に向かって（前方ユニット１２Ａ側を向いて）撮影作業を行う。
【００７４】
この正面１２Ａ−１の中央付近には、撮影空間３２内の被写体を撮影するカメラ５１が設けられており、カメラ５１の下側にタッチパネルモニタ５２が設けられている。タッチパネルモニタ５２は、例えば、カメラ５１により光電変換されてリアルタイムに（即時）取り込まれている取り込み画像に背景や前景等の画像を合成した合成画像（動画像）を表示するライブビューモニタとしての機能と、各種GUI（Graphical User Interface）画像を表示するとともに、画面上に重畳されたタッチパネルにより利用者の指示を受け付ける機能とを備えている。また、正面１２Ａ−１には、この他にも、撮影空間３２内を照明したり、カメラ５１による撮影タイミングに合わせてフラッシュ光を発光したりする照明装置５３−１乃至照明装置５３−８、撮影作業中の利用者の手荷物等を置くための荷物置き場５４−１および５４−２、並びに、写真シール作成ゲームの代金が投入される硬貨投入返却口５５が設けられている。
【００７５】
さらに、正面１２Ａ−１には、照明装置５３−１および５３−２の裏側であって、撮影空間３２の天井付近に、写真シール作成ゲームの撮影作業における案内音声、BGM（Back Ground Music）、効果音等の音声が出力される、図示せぬスピーカが設けられている。なお、スピーカの数および設置位置は任意である。
【００７６】
カメラ５１は、CCD（Charge Coupled Device）を利用した撮像素子等により構成され、写真シール作成ゲームの撮影作業の工程において、撮影空間３２内の利用者を撮像し、動画像を取り込み画像として取り込む。カメラ５１により取り込まれた取り込み画像は、一部が切り出されたり、背景等の画像が合成されたりして、タッチパネルモニタ５２に即時的に表示される。また、所定のタイミングでカメラ５１により取り込まれた取り込み画像は、そのタイミングのフレームの画像が抜き出され、撮影画像（静止画像）として保存される。
【００７７】
なお、カメラ５１として、CCDの代わりに、例えばCMOSセンサを用いたカメラを使用してもよい。もちろん、これら以外にも、利用者を撮影し、デジタル画像データを得られるものであればどのようなカメラを用いるようにしてもよい。また、カメラ５１の個数も設置位置も任意である。
【００７８】
タッチパネルモニタ５２は、例えば、CRT（Cathode Ray Tube）やLCD（Liquid Crystal Display）等のライブビューモニタと、それに積層された無色透明のタッチパネルとにより構成され、撮影作業中の利用者が撮影結果を確認しながら立ち位置や姿勢を決定することができるようにするために、カメラ５１により取り込まれた取り込み画像を即時的に（リアルタイムに）表示する。このとき、タッチパネルモニタ５２に表示される取り込み画像は、例えば、背景や前景等、利用者に指定された画像が合成されたり、その画像の画サイズ等に合わせて一部分が切り出されたり（トリミングされたり）する。また、タッチパネルモニタ５２は、撮影作業の手順を案内する案内画像等、撮影作業に関する画像を表示し、タッチパネル（例えば、感圧式や電磁誘導式等）が例えば利用者の指等によるタップ操作を受け付けるようになされている。
【００７９】
照明装置５３−１乃至照明装置５３−８は、複数の、蛍光灯およびストロボ発光可能な照明装置により構成され、撮影空間３２を明るくし、操作性や安全性を確保するために、撮影空間３２を常時照らすとともに、撮影画像の画質を向上させるために、撮影タイミングに対応するタイミングでストロボ発光し、撮影される利用者に光を多様な角度から照射する。なお、以下において、照明装置５３−１乃至照明装置５３−８を互いに区別して説明する必要の無い場合、照明装置５３と称する。また、所定の照明装置５３の表面には、ストロボ発光による撮影空間３２の明るさを調整するために、図示せぬLED（Light Emitting Diode）が設けられている。
【００８０】
荷物置き場５４−１，５４−２は、撮影時における利用者の手荷物の置き場所として利用する棚である。荷物置き場５４−１，５４−２は、撮影の邪魔にならないような位置、すなわち、利用者が撮影ポーズをとるのに邪魔にならず、かつ、照明装置５３の光の照射の妨げとならない位置に設けられている。利用者は、手荷物を荷物置き場５４−１，５４−２に置くことにより、より快適に撮影作業を行うことができる。
【００８１】
硬貨投入返却口５５は、利用者が写真シール作成ゲームの代金として硬貨を投入したり、投入に失敗した硬貨やお釣りの硬貨を返却したりするユーザインターフェースである。
【００８２】
もちろん、前方ユニット１２Ａの正面１２Ａ−１に上述した以外の構成が設けられるようにしてもよい。
【００８３】
なお、図５に示されるように、前方ユニット１２Ａの底面には、前方ユニット１２Ａを、写真シール作成装置１が設置されている設置面を移動可能にさせるキャスタ５６と、前方ユニット１２Ａを、写真シール作成装置１が設置されている設置面に固定させるとともに、写真シール作成装置１の高さを調整するアジャスタ５７とが設けられている。なお、前方ユニット１２Ａの底面には、複数のキャスタ５６およびアジャスタ５７が設けられているが、それぞれまとめて、キャスタ５６およびアジャスタ５７と称することとする。
【００８４】
次に、編集ユニット１３の構成について説明する。
【００８５】
図６は、編集ユニット１３の、撮影ユニット１２側から見て左側面の構成例（第１編集空間３３Ａ側の構成例）を示す図である。
【００８６】
図６において、第１編集インタフェース１３Ａの上側には、側面カーテン２１等で仕切られているために暗くなる第１編集空間３３Ａを照らすための照明装置６１が設けられている。この照明装置６１により、写真シール作成装置１は、利用者の編集作業効率の低下を抑制し、第１編集空間３３Ａの安全性を向上させることができる。なお、図６の例においては、編集ユニット１３の、照明装置６１が設けられている第１編集インタフェース１３Ａの上側の部分が、第２編集空間３３Ｂ側に貫通しており、照明装置６１は、第１編集空間３３Ａと第２編集空間３３Ｂとで共有されている。つまり、照明装置６１は、第１編集空間３３Ａだけでなく第２編集空間３３Ｂも照明し、安全性を向上させる。なお、この照明装置６１の設置位置および個数は任意である。
【００８７】
第１編集インタフェース１３Ａには、タブレット内蔵モニタ６２、２本のタッチペン６３−１およびタッチペン６３−２、スピーカ６４、並びに追加硬貨投入返却口６５が設けられている。
【００８８】
タブレット内蔵モニタ６２は、タッチペン６３−１またはタッチペン６３−２により位置情報を入力可能な無色透明のタブレットが、CRTディスプレイやLCD等の、画像を表示可能な表示デバイスの表示画面上に重畳されることにより構成される。したがって、タブレット内蔵モニタ６２は、表示デバイスにより単にGUI画像等を表示するだけでなく、タブレットにより利用者からの入力操作を受け付ける。タブレット内蔵モニタ６２には、例えば、撮影空間における撮影作業により得られた撮影画像を編集する編集作業用のGUI画像からなる編集画面が表示される。
【００８９】
タッチペン６３−１とタッチペン６３−２は、タブレット内蔵モニタ６２の左右近傍に、左右１本ずつ所定のアタッチメントにより編集ユニット１３に着脱可能に固定されており、同じ組の２人の利用者が、これらのタッチペンをそれぞれ使用することにより、同時に、写真シール作成作業の編集作業の工程をプレイすることができるようになされている。なお、以下において、タッチペン６３−１およびタッチペン６３−２を互いに区別して説明する必要のない場合、単にタッチペン６３と称する。
【００９０】
そのタッチペン６３は、編集ユニット１３内部に設置されたシステムと有線（または無線）により電気的に接続されている。タッチペン６３は、タブレット内蔵モニタ６２のタブレットと連携して動作する。利用者がタッチペン６３を操作して、タブレットをタップする（タッチペン６３とタブレット内蔵モニタ６２の表示画面を接触（または近接）させる）ことにより、タブレットは、利用者からの入力を受け付ける入力手段として動作する。なお、タッチペン６３の設置本数、設置位置、及び形状等は任意である。
【００９１】
スピーカ６４は、例えば、案内音声、効果音、またはBGM等、写真シール作成ゲームの編集作業に関する音声を出力する。このスピーカ６４は、タブレット内蔵モニタ６２の右側に配置される。右利きの利用者は、タッチペン６３を右手で持ちながら編集作業を行うため、編集ユニット１３に寄りかかりながら編集作業を行う場合であっても、タブレット内蔵モニタ６２の右側に寄りかかる可能性は少ない。従って、タブレット内蔵モニタ６２の右側にスピーカ６４を配置することにより、右利きの利用者が編集ユニット１３に寄りかかりながら編集作業を行う場合であっても、利用者がスピーカ６４を塞ぎ、音声が聞こえなくなることを防止することができる。なお、スピーカ６４の設置個数、デザイン、および形状等は任意である。
【００９２】
追加硬貨投入返却口６５は、利用者が編集可能時間を延長させたいときや写真シールを複数枚出力するときなどに追加代金としての硬貨を投入したり、お釣り等を返却したりするために設けられている。なお、この追加代金の支払いも硬貨に限定されるものではなく、当然、紙幣でも支払いができるようすることができる。また、実際に流通している現金（硬貨および紙幣）の代わりに、写真シール作成装置１が設置されている遊技施設などで流通されているプリペイドカード、コイン、電子マネーなどでも支払いができるようしてもよい。
【００９３】
ただし、編集可能時間の延長は、現在、撮影空間３２にて撮影作業が行われていない場合（次の利用者がいない場合）、または、もう一方の編集インタフェース（いまの場合、第２編集インタフェース１３Ｂ）が空いている場合にのみ可能であり、撮影空間３２にて撮影作業が行われており、かつ、もう一方の編集インタフェースが利用されている場合には延長できない。
【００９４】
なお、編集ユニット１３の第２編集空間３３Ｂ側の構成も、図６に示す第１編集空間３３Ａ側の構成と基本的に同様であるので、その説明については省略する。以下においては、図６に示す構成例は、編集ユニット１３の第２編集空間３３Ｂ側の構成を説明する場合にも適用される。
【００９５】
さらに、編集ユニット１３の底面には、編集ユニット１３を、写真シール作成装置１が設置されている設置面を移動可能にさせるキャスタ６６と、編集ユニット１３を、写真シール作成装置１が設置されている設置面に固定させるとともに、写真シール作成装置１の高さを調整するアジャスタ６７とが設けられている。なお、編集ユニット１３の底面には、複数のキャスタ６６およびアジャスタ６７が設けられているが、それぞれまとめて、キャスタ６６およびアジャスタ６７と称することとする。
【００９６】
図７は、編集ユニット１３の、写真シール排出部１３Ｃの構成例を示す図である。
【００９７】
図７に示すように、写真シール排出部１３Ｃには、第１編集空間３３Ａにおいて編集作業を行った利用者が作成した写真シール（つまり、第１編集インタフェース１３Ａが操作されて作成された写真シール）と、第２編集空間３３Ｂにおいて編集作業を行った利用者が作成した写真シール（つまり、第２編集インタフェース１３Ｂが操作されて作成された写真シール）が排出される写真シール排出口７１が設けられている。
【００９８】
編集ユニット１３内部には、プリンタが設置されており、第１編集インタフェース１３Ａまたは第２編集インタフェース１３Ｂが操作されて作成された印刷用の画像は、そのプリンタによりシール紙に印刷される。プリンタより出力された写真シールは、この写真シール排出口７１より排出される。
【００９９】
また、図７に示すように、写真シール排出部１３Ｃには、スピーカ７２が設けられている。スピーカ７２は、例えば、案内音声、効果音、またはBGM等、写真シールの印刷および排出に関する音声を出力する。
【０１００】
図８は、写真シール作成装置１を、第１編集インタフェース１３Ａ側から見た側面図である。
【０１０１】
上述でも説明したように、撮影ユニット１２と編集ユニット１３とは、連結部１１および支持部１１Ａによって連結されている。
【０１０２】
写真シール作成装置１が設置されるゲームセンタや観光地の店舗等において、新機種のゲーム機が新たに搬入される等の際には、写真シール作成装置１は、まず、撮影ユニット１２と編集ユニット１３とに分離される。具体的には、連結部１１と支持部１１Ａとが分離されることで、撮影ユニット１２と編集ユニット１３とを分離することができる。これにより、編集ユニット１３は、その底面に設けられたキャスタ６６により、店舗等の床面（写真シール作成装置１が設置されている設置面）を移動可能となり、編集ユニット１３を簡単に移設することができる。
【０１０３】
次に、撮影ユニット１２において、前方ユニット１２Ａと後方ユニット１２Ｂとを連結している連結支持部１２Ｄを取り外す。これにより、撮影ユニット１２において、店舗等の床面に接しているのは、前方ユニット１２Ａの底面に設けられたキャスタ５６のみとなる。また、上述で説明したように、撮影ユニット１２を構成する前方ユニット１２Ａ、後方ユニット１２Ｂ、および天井ユニット（天井ストロボユニット１４および背景カーテンユニット１５）は、一体と見なすことができる。したがって、撮影ユニット１２を構成する前方ユニット１２Ａ、後方ユニット１２Ｂ、および天井ユニットを、それぞれ分離することなく、撮影ユニット１２は、店舗等の床面を移動可能となり、撮影ユニット１２をより簡単に移設することができる。
【０１０４】
このように、撮影ユニット１２および編集ユニット１３は、それぞれ、店舗等の床面を移動可能となるので、前方ユニット１２Ａ、後方ユニット１２Ｂ、天井ストロボユニット１４、および背景カーテンユニット１５を、それぞれ分離することなく、写真シール作成装置１をより簡単に移設（移動）することが可能となる。
【０１０５】
次に、図９および図１０を参照して、前方ユニット１２Ａおよび後方ユニット１２Ｂと、連結支持部１２Ｄとの連結（固定）部分の詳細について説明する。
【０１０６】
図９は、図８で示された写真シール作成装置１の側面図における、前方ユニット１２Ａと連結支持部１２Ｄとの固定部分の拡大図である。
【０１０７】
図９に示されるように、前方ユニット１２Ａと連結支持部１２Ｄとは、連結支持部１２Ｄの一端の辺部に設けられるネジ穴１０１−１を通すネジ１０２−１によって固定されている。
【０１０８】
ネジ穴１０１−１は、店舗等の床面（写真シール作成装置１が設置されている設置面）に対して垂直方向（以下、高さ方向と称する）に長さをもった長穴であり、前方ユニット１２Ａに対する連結支持部１２Ｄの高さ方向の位置が調節可能とされる。
【０１０９】
なお、図示されないが、図９に示される連結支持部１２Ｄの一端の辺部の、後方ユニット１２Ｂに対向する面にも、図９に示されるネジ穴１０１−１と同様のネジ穴が設けられ、その面と、前方ユニット１２Ａの下端部の後方ユニット１２Ｂに対向する面とが、ネジ１０２−１と同様のネジによって固定されている。
【０１１０】
図１０は、後方ユニット１２Ｂと連結支持部１２Ｄとの固定部分の拡大図である。図１０Ａは、図８で示された写真シール作成装置１の側面図における、後方ユニット１２Ｂと連結支持部１２Ｄとの固定部分の拡大図であり、図１０Ｂは、後方ユニット１２Ｂと連結支持部１２Ｄとの固定部分を拡大した斜視図である。
【０１１１】
図１０Ａに示されるように、後方ユニット１２Ｂと連結支持部１２Ｄとは、連結支持部１２Ｄの一端の辺部に設けられるネジ穴１０１−２を通すネジ１０２−２によって固定されている。
【０１１２】
また、図１０Ｂに示されるように、連結支持部１２Ｄの他の一端の辺部の、前方ユニット１２Ａに対向する面にも、ネジ穴１０１−３が設けられ、その面と、後方ユニット１２Ｂの下端部の前方ユニット１２Ａに対向する面とが、ネジ１０２−３によって固定されている。
【０１１３】
ネジ穴１０１−２およびネジ穴１０１−３もまた、ネジ穴１０１−１と同様、店舗等の床面に対して高さ方向に長さをもった長穴であり、後方ユニット１２Ｂに対する連結支持部１２Ｄの高さ方向の位置が調節可能とされる。
【０１１４】
なお、ネジ穴１０１−１乃至ネジ穴１０１−３を区別する必要の無い場合、ネジ穴１０１と称する。
【０１１５】
このように、ネジ穴１０１が高さ方向に長さをもった長穴で構成されているので、前方ユニット１２Ａおよび後方ユニット１２Ｂに対する、連結支持部１２Ｄの高さ方向の位置を調節することができる。これにより、例えば、写真シール作成装置１の設置場所に段差があるような場合であっても、連結支持部１２Ｄの高さ方向の位置を調節することで、傾きなく前方ユニット１２Ａと後方ユニット１２Ｂとを連結するとともに、確実に後方ユニット１２Ｂを支持することができ、写真シール作成装置１をより安定して設置することが可能となる。
【０１１６】
なお、上述した説明においては、後方ユニット１２Ｂの下端部は、コの字型の連結支持部１２Ｄによって支持されるようにしたが、例えば、Ｌ字型の支持部材によって支持されるようにしてもよい。この場合、写真シール作成装置１が設置される設置面が、コの字型の連結支持部１２Ｄの中央の辺部がその設置面に均一に当接しないような設置場所であっても、少なくとも後方ユニット１２Ｂの下端部を安定して支持することができる。また、写真シール作成装置１が設置される設置面が、平坦な床面であっても、撮影空間を出入りする利用者がつまずくといった恐れを除くことができる。
【符号の説明】
【０１１７】
１  写真シール作成装置
１２  撮影ユニット
１２Ａ  前方ユニット
１２Ｂ  後方ユニット
１２Ｃ  固定部
１２Ｄ  連結支持部
１３  編集ユニット
１４  天井ストロボユニット
１５  背景カーテンユニット
【図１】
0003160845.tif 000003
【図２】
0003160845.tif 000004
【図３】
0003160845.tif 000005
【図４】
0003160845.tif 000006
【図５】
0003160845.tif 000007
【図６】
0003160845.tif 000008
【図７】
0003160845.tif 000009
【図８】
0003160845.tif 000010
【図９】
0003160845.tif 000011
【図１０】
0003160845.tif 000012